(57)【要約】  本発明は、通信処理技術分野に関し、特に、可視光源、モバイル端末、及びコントローラに基づく位置決定方法に関する。具体的に、当該方法は、可視光源配列が配置される位置の地理的位置属性情報を可視光源コントローラが取得する段階と、可視光源配列が配置される位置の地理的位置属性情報と可視光源配列パターンとの間の予め設定された対応関係に従って、取得された地理的位置属性情報に対応する可視光源配列パターンであって、可視光源配列に含まれる各可視光源に対応する発光状態を識別すべく個別に使用される識別情報によって形成される符号化情報を指す可視光源配列パターンを可視光源コントローラが決定する段階と、決定された可視光源配列パターンに従って、可視光源配列に含まれる各可視光源の発光状態を可視光源コントローラが制御する段階と、を含む。このようにして、位置決定プロセスの複雑さは低減され、位置決定方法が比較的単一であるという問題は解消される。
2016538794.tif 000002
【特許請求の範囲】
【請求項１】
可視光源に基づく位置決定方法であって、前記方法は可視光源位置決定システムにおいて適用され、前記システムは可視光源配列及び可視光源コントローラを備え、前記可視光源配列は少なくとも１つの可視光源を含み、前記方法は、
前記可視光源配列が配置される位置の地理的位置属性情報を前記可視光源コントローラが取得する段階と、
可視光源配列が配置される位置の地理的位置属性情報と可視光源配列パターンとの間の予め設定された対応関係に従って、前記取得された地理的位置属性情報に対応する可視光源配列パターンであって、前記可視光源配列に含まれる各可視光源に対応する発光状態を識別すべく個別に使用される識別情報によって形成される符号化情報を指す可視光源配列パターンを前記可視光源コントローラが決定する段階と、
前記決定された可視光源配列パターンに従って、前記可視光源配列に含まれる各可視光源の前記発光状態を前記可視光源コントローラが制御する段階と、を備える
方法。
【請求項２】
前記地理的位置属性情報は、物理的位置情報及び地理的方向情報を有する
請求項１に記載の方法。
【請求項３】
可視光源配列が配置される位置の地理的位置属性情報と可視光源配列パターンとの間の予め設定された対応関係に従って、前記取得された地理的位置属性情報に対応する可視光源配列パターンを前記可視光源コントローラが決定する前記段階の前に、さらに、
可視光源配列が配置される位置の地理的位置属性情報と可視光源配列パターンとの間の前記予め設定された対応関係を、ネットワークを介して前記可視光源コントローラが取得する段階を備え、
前記対応関係は地図サーバに格納される、
請求項１または２に記載の方法。
【請求項４】
前記可視光源配列に含まれる各可視光源の前記発光状態を前記可視光源コントローラが制御する段階は、具体的に、
前記可視光源配列における少なくとも１つの隣接する可視光源の発光状態を互いに異なるように、前記可視光源コントローラが制御する段階か、又は
前記可視光源配列における少なくとも１つの隣接する可視光源の発光状態を同じになるように、前記可視光源コントローラが制御する段階を備える
請求項１から３の何れか一項に記載の方法。
【請求項５】
前記方法は、
前記可視光源配列に少なくとも１つの可視光源が追加されると決定するとき、前記地図サーバが、可視光源配列パターンと地理的位置属性情報との間の既存の前記対応関係を更新するよう、前記可視光源の前記可視光源配列パターンを、前記可視光源コントローラが更新する段階と、更新された可視光源配列パターンと、前記可視光源配列パターンに対応する地理的位置属性情報との間の対応関係を、前記ネットワークを介して前記地図サーバに送信する段階と、をさらに備える
請求項１から４の何れか一項に記載の方法。
【請求項６】
可視光源に基づく位置決定方法であって、前記方法は可視光源位置決定システムにおいて適用され、前記システムは可視光源配列及び可視光源コントローラを備え、前記可視光源配列は複数の可視光源を含み、前記方法は、
前記可視光源配列に含まれる各可視光源に対応する発光状態を識別すべく個別に使用される識別情報によって形成される符号化情報を指す可視光源配列パターンを、前記可視光源コントローラが受信する段階と、
前記受信された可視光源配列パターンに従って、前記可視光源配列に含まれる各可視光源の前記発光状態を前記可視光源コントローラが制御する段階と、を備える
方法。
【請求項７】
可視光源に基づく位置決定方法であって、
モバイル端末が現在位置する位置において、可視光源配列に含まれる各可視光源によって示される発光状態を、前記モバイル端末が取り込む段階と、
各可視光源によって示される前記取り込まれた発光状態に従って、前記可視光源配列に対応する可視光源配列パターンであって、前記可視光源配列に含まれる各可視光源に対応する前記発光状態を識別すべく個別に使用される識別情報によって形成される符号化情報を指す可視光源配列パターンを、前記モバイル端末が決定する段階と、
可視光源配列が配置される位置の地理的位置属性情報と可視光源配列パターンとの間の予め設定された対応関係における、前記可視光源配列パターンに対応する地理的位置属性情報を、前記モバイル端末が獲得する段階と、
前記可視光源配列パターンに対応する前記地理的位置属性情報を前記モバイル端末の現在の地理的位置属性情報として前記モバイル端末が使用する段階と、を備える
方法。
【請求項８】
前記地理的位置属性情報は、物理的位置情報及び地理的方向情報を有する
請求項７に記載の方法。
【請求項９】
可視光源配列が配置される位置の地理的位置属性情報と可視光源配列パターンとの間の予め設定された対応関係における、前記可視光源配列パターンに対応する地理的位置属性情報を、前記モバイル端末が獲得する前記段階は、具体的に、
可視光源配列が配置される位置の地理的位置属性情報と可視光源配列パターンとの間の局所的に格納された対応関係に従って、前記決定された可視光源配列パターンに対応している位置であり、且つ、前記可視光源配列が配置される位置の地理的位置属性情報を前記モバイル端末が獲得する段階と、
前記可視光源配列が配置される位置の前記決定された地理的位置属性情報を前記モバイル端末の前記現在の地理的位置属性情報として前記モバイル端末が使用する段階と、を備える
請求項７または８に記載の方法。
【請求項１０】
可視光源配列が配置される位置の地理的位置属性情報と可視光源配列パターンとの間の予め設定された対応関係における、前記可視光源配列パターンに対応する地理的位置属性情報を、前記モバイル端末が獲得する前記段階は、具体的に、
前記決定された可視光源配列パターンを前記モバイル端末が地図サーバに送信する段階と、前記決定された可視光源配列パターンに対応している位置であり、且つ、前記可視光源配列が配置される位置の地理的位置属性情報であって、前記格納された対応関係に従って前記地図サーバによって決定され、フィードバックされる地理的位置属性情報を受信する段階と、
前記可視光源配列が配置される前記位置の前記受信された地理的位置属性情報を前記モバイル端末の前記現在の地理的位置属性情報として前記モバイル端末が使用する段階と、を備える
請求項７または８に記載の方法。
【請求項１１】
前記可視光源配列が配置される前記位置の前記地理的位置属性情報を前記モバイル端末の前記現在の地理的位置属性情報として前記モバイル端末が使用する前記段階は、具体的に、
前記可視光源配列が配置される前記位置の物理的位置情報を前記モバイル端末の現在の物理的位置情報として前記モバイル端末が使用する段階と、
前記可視光源配列が配置される前記位置の地理的方向情報に対応する方向指示線と、前記モバイル端末が、前記可視光源配列に含まれる各可視光源によって示される前記発光状態を取り込むときに特定される軸との間の挟角に従って、前記モバイル端末の現在の地理的移動方向情報を前記モバイル端末が決定する段階と、を備える
請求項９または１０に記載の方法。
【請求項１２】
可視光源配列が配置される位置の地理的位置属性情報を取得するよう構成される第１の取得ユニットと、
可視光源配列が配置される位置の地理的位置属性情報と可視光源配列パターンとの間の予め設定された対応関係に従って、前記取得された地理的位置属性情報に対応する可視光源配列パターンであって、前記可視光源配列に含まれる各可視光源に対応する発光状態を識別すべく個別に使用される識別情報によって形成される符号化情報を指す可視光源配列パターンを決定するよう構成される決定ユニットと、
前記決定された可視光源配列パターンに従って、前記可視光源配列に含まれる各可視光源の前記発光状態を制御するよう構成される制御ユニットと、を備える
可視光源コントローラ。
【請求項１３】
前記第１の取得ユニットによって取得される前記地理的位置属性情報は、物理的位置情報及び地理的方向情報を備える
請求項１２に記載の可視光源コントローラ。
【請求項１４】
可視光源配列が配置される位置の地理的位置属性情報と可視光源配列パターンとの間の前記予め設定された対応関係を、ネットワークを介して取得するよう構成される第２の取得ユニットをさらに備え、前記対応関係は、地図サーバに格納される、
請求項１２または１３に記載の可視光源コントローラ。
【請求項１５】
前記制御ユニットは、具体的に、
前記可視光源配列における少なくとも１つの隣接する可視光源の発光状態を互いに異なるように制御するか、又は、
前記可視光源配列における少なくとも１つの隣接する可視光源の発光状態を同じになるように制御するよう構成される
請求項１２から１４の何れか一項に記載の可視光源コントローラ。
【請求項１６】
送信ユニットをさらに備え、前記送信ユニットは、
前記可視光源配列に少なくとも１つの可視光源が追加されると決定するとき、前記地図サーバが可視光源配列パターンと地理的位置属性情報との間の既存の前記対応関係を更新するように、前記可視光源の前記可視光源配列パターンを更新し、更新された可視光源配列パターンと、前記可視光源配列パターンに対応する地理的位置属性情報との間の対応関係を、前記ネットワークを介して前記地図サーバに送信するよう構成される
請求項１２から１５の何れか一項に記載の可視光源コントローラ。
【請求項１７】
前記可視光源配列に含まれる各可視光源に対応する発光状態を識別すべく個別に使用される識別情報によって形成される符号化情報を指す可視光源配列パターンを受信するよう構成される受信ユニットと、
前記受信された可視光源配列パターンに従って、前記可視光源配列に含まれる各可視光源の前記発光状態を制御するよう構成される制御ユニットと、を備える
可視光源コントローラ。
【請求項１８】
モバイル端末であって、
前記モバイル端末が現在位置する位置において、可視光源配列に含まれる各可視光源によって示される発光状態を取り込むよう構成される取込ユニットと、
各可視光源によって示される前記取り込まれた発光状態に従って、前記可視光源配列に対応する可視光源配列パターンであって、前記可視光源配列に含まれる各可視光源に対応する前記発光状態を識別すべく個別に使用される識別情報によって形成される符号化情報を指す可視光源配列パターンを決定するよう構成される第３の決定ユニットと、
可視光源配列が配置される位置の地理的位置属性情報と可視光源配列パターンとの間の予め設定された対応関係における、前記可視光源配列パターンに対応する地理的位置属性情報を獲得するよう構成される獲得ユニットと、
前記可視光源配列パターンに対応する前記地理的位置属性情報を前記モバイル端末の現在の地理的位置属性情報として使用するよう構成される第４の決定ユニットと、を備える
モバイル端末。
【請求項１９】
前記獲得ユニットによって獲得される前記地理的位置属性情報は、物理的位置情報及び地理的方向情報を備える
請求項１８に記載のモバイル端末。
【請求項２０】
前記第４の決定ユニットは、具体的に、
可視光源配列が配置される位置の地理的位置属性情報と可視光源配列パターンとの間の局所的に格納された対応関係に従って、前記決定された可視光源配列パターンに対応している位置であり、且つ、前記可視光源配列が配置される位置の地理的位置属性情報を獲得し、
前記可視光源配列が配置される前記位置の前記決定された地理的位置属性情報を、前記モバイル端末の前記現在の地理的位置属性情報として使用するよう構成される、
請求項１８または１９に記載のモバイル端末。
【請求項２１】
前記第４の決定ユニットは、具体的に、
前記第３の決定ユニットによって決定される前記可視光源配列パターンを地図サーバに送信し、前記決定された可視光源配列パターンに対応している位置であり、且つ、前記可視光源配列が配置される位置の地理的位置属性情報であって、前記格納された対応関係に従って前記地図サーバによって決定され、フィードバックされる前記地理的位置属性情報を受信し、
前記可視光源配列が配置される前記位置の前記受信された地理的位置属性情報を、前記モバイル端末の前記現在の地理的位置属性情報として使用するよう構成される、
請求項１８または１９に記載のモバイル端末。
【請求項２２】
前記第４の決定ユニットは、具体的に、
前記可視光源配列が配置される前記位置の物理的位置情報を、前記モバイル端末の現在の物理的位置情報として使用し、
前記可視光源配列が配置される前記位置の地理的方向情報に対応する方向指示線と、前記モバイル端末が、前記可視光源配列に含まれる各可視光源によって示される前記発光状態を取り込むときに特定される軸との間の挟角に従って、前記モバイル端末の現在の地理的移動方向情報を決定するよう構成される、
請求項２０または２１に記載のモバイル端末。
【発明の詳細な説明】
【技術分野】
【０００１】
本願は、「ＰＯＳＩＴＩＯＮＩＮＧ  ＭＥＴＨＯＤ  ＢＡＳＥＤ  ＯＮ  ＶＩＳＩＢＬＥ  ＬＩＧＨＴ  ＳＯＵＲＣＥ，  ＭＯＢＩＬＥ  ＴＥＲＭＩＮＡＬ，  ＡＮＤ  ＣＯＮＴＲＯＬＬＥＲ」と題する、２０１３年９月１８日に中国特許庁へ出願された中国特許出願第２０１３１０４３０９７６．８号への優先権を主張し、当該出願の全体が参照によって本明細書に組み込まれる。
【０００２】
本発明は、通信処理技術分野に関し、特に、可視光源、モバイル端末、及びコントローラに基づく位置決定方法に関する。
【背景技術】
【０００３】
可視光通信技術は、近年誕生した最新の無線通信技術である。光源が照明機能を実装するのみならず、通信機能も実装し得るように、通信機能は光源の照明に統合される。複数の従来の無線周波数通信技術及び他のあらゆる無線光通信技術と比較して、可視光通信技術は、送信電力が高い、無線周波数スペクトルを占有しない、電磁干渉が無い、及び、電磁放射が無いためエネルギーが保存される、などの複数の利点を有する。故に、可視光通信技術はますます重要になってきている。
【０００４】
現在、可視光通信技術の応用研究は、主に、屋内での可視光通信システム及び屋外での可視光知的輸送システムに集中している。可視光通信システムは、屋内での位置決定のための光源位置信号を提供するのみならず、比較的高い位置決定精度を有しもする。故に、屋内において使用される場合、可視光通信システムは概して位置決定の目的で使用されて、ユーザの現在位置を決定する。例えば、ユーザＡがショッピングモールにいるが、ショッピングモールの名称についての情報、ユーザＡがいるフロアの階数についての情報、又はショッピングモールの具体的な住所についての情報を知らない場合、ユーザＡは可視光通信システムを使用することによって、当該名称についての情報、当該フロアの階数についての情報、当該具体的な住所についての情報、及びユーザＡがいるショッピングモールについてのその他同様のことを判断し得る。
【０００５】
従来技術において、可視光通信システムは、可視光源、近距離無線通信機能を有する光受信機、モバイル端末、及び地図サーバの４つの部分を含む。図１に示される様に、位置決定を実施するプロセスの複数の段階は以下のようなものである。
【０００６】
段階１０：可視光源は、少なくとも可視光源の地理的位置符号化情報を含む信号を可視光に付加し、当該可視光を光受信機に送信する。
【０００７】
段階１１：光受信機は、可視光源の地理的位置符号化情報を含む受信信号をモバイル端末に送信する。
【０００８】
段階１２：モバイル端末は、受信信号に従って現在の地理的位置についての情報を解析する。
【０００９】
しかしながら、従来技術は以下の欠点を有する。
【００１０】
光受信機が、可視光源の地理的位置符号化情報を含む受信信号をモバイル端末に送信するように、光受信機をモバイル端末と可視光源との間の信号受信装置として使用する必要がある。故に、位置決定プロセスが比較的複雑であるという問題が存在する。
【発明の概要】
【００１１】
本発明の複数の実施形態は、可視光源、モバイル端末、及びコントローラに基づく位置決定方法を提供し、位置決定プロセスの複雑さを低減する。
【００１２】
本発明の複数の実施形態において提供される複数の具体的な技術的解決法は、以下のようなものである。
【００１３】
第１の態様に従って、可視光源に基づく位置決定方法が提供される。当該方法は、可視光源位置決定システムにおいて適用され、当該システムは、可視光源配列及び可視光源コントローラを含み、当該可視光源配列は、少なくとも１つの可視光源を含む。当該方法は、
可視光源配列が配置される位置の地理的位置属性情報を可視光源コントローラが取得する段階と、
可視光源配列が配置される位置の地理的位置属性情報と、可視光源配列パターンとの間の予め設定された対応関係に従って、取得された地理的位置属性情報に対応する可視光源配列パターンを可視光源コントローラが決定する段階であって、当該可視光源配列パターンは、可視光源配列に含まれる各可視光源に対応する発光状態を識別すべく個別に使用される識別情報によって形成される符号化情報を指す、段階と、
決定された可視光源配列パターンに従って、可視光源配列に含まれる各可視光源の発光状態を可視光源コントローラが制御する段階と、を含む。
【００１４】
第１の態様を参照すると、第１の可能な実施例において、地理的位置属性情報は物理的位置情報及び地理的方向情報を含む。
【００１５】
第１の態様、又は第１の態様の第１の可能な実施例を参照すると、第２の可能な実施例において、可視光源配列が配置される位置の地理的位置属性情報と可視光源配列パターンとの間の予め設定された対応関係に従って、取得された地理的位置属性情報に対応する可視光源配列パターンを可視光源コントローラが決定する段階の前に、当該方法は、
可視光源配列が配置される位置の地理的位置属性情報と可視光源配列パターンとの間の予め設定された対応関係をネットワークを介して可視光源コントローラが取得する段階であって、当該対応関係は地図サーバに格納される、段階をさらに含む。
【００１６】
第１の態様、又は第１の態様の第１及び第２の可能な実施例を参照すると、第３の可能な実施例において、可視光源配列に含まれる各可視光源の発光状態を可視光源コントローラが制御する段階は、具体的に、
可視光源配列における少なくとも２つの隣接する可視光源の発光状態を、互いに異なるように可視光源コントローラが制御する段階、又は
可視光源配列における少なくとも２つの隣接する可視光源の発光状態を、同じになるように可視光源コントローラが制御する段階、を含む。
【００１７】
第１の態様、又は第１の態様の第１から第３の可能な実施例を参照すると、第４の可能な実施例において、当該方法は
少なくとも１つの可視光源が可視光源配列に追加されると決定するとき、地図サーバが、可視光源配列パターンと地理的位置属性情報との間の既存の対応関係を更新するよう、可視光源配列の可視光源配列パターンを可視光源コントローラが更新する段階と、更新された可視光源配列パターンと、可視光源配列パターンに対応する地理的位置属性情報との間の対応関係を、ネットワークを介して地図サーバに送信する段階と、をさらに含む。
【００１８】
第２の態様に従って、可視光源に基づく位置決定方法が提供される。当該方法は可視光源位置決定システムにおいて適用され、当該システムは可視光源配列及び可視光源コントローラを含み、当該可視光源配列は複数の可視光源を含む。当該方法は、
可視光源配列パターンを可視光源コントローラが受信する段階であって、当該可視光源配列パターンは、可視光源配列に含まれる各可視光源に対応する発光状態を識別すべく個別に使用される識別情報によって形成される符号化情報を指す、段階と、
受信された可視光源配列パターンに従って、可視光源配列に含まれる各可視光源の発光状態を可視光源コントローラが制御する段階と、を含む。
【００１９】
第３の態様に従って、可視光源に基づく位置決定方法が提供される。当該方法は、
モバイル端末が現在位置する位置において、可視光源配列に含まれる各可視光源によって示される発光状態をモバイル端末が取り込む段階と、
各可視光源によって示される取り込まれた発光状態に従って、可視光源配列に対応する可視光源配列パターンをモバイル端末が決定する段階であって、当該可視光源配列パターンは、可視光源配列に含まれる各可視光源に対応する発光状態を識別すべく個別に使用される識別情報によって形成される符号化情報を指す、段階と、
可視光源配列が配置される位置の地理的位置属性情報と可視光源配列パターンとの間の予め設定された対応関係における、可視光源配列パターンに対応する地理的位置属性情報をモバイル端末が獲得する段階と、
可視光源配列パターンに対応する地理的位置属性情報をモバイル端末の現在の地理的位置属性情報としてモバイル端末が使用する段階と、を含む。
【００２０】
第３の態様を参照すると、第１の可能な実施例において、地理的位置属性情報は物理的位置情報及び地理的方向情報を含む。
【００２１】
第３の態様、又は第３の態様の第１の可能な実施例を参照すると、第２の可能な実施例において、可視光源配列が配置される位置の地理的位置属性情報と可視光源配列パターンとの間の予め設定された対応関係における、可視光源配列パターンに対応する地理的位置属性情報をモバイル端末が獲得する段階は、具体的には、
可視光源配列が配置される位置の地理的位置属性情報と可視光源配列パターンとの間の局所的に格納された対応関係に従って、決定された可視光源配列パターンに対応している位置であり、且つ、可視光源配列が配置される位置の地理的位置属性情報をモバイル端末が獲得する段階と、
可視光源配列が配置される位置の獲得された地理的位置属性情報をモバイル端末の現在の地理的位置属性情報としてモバイル端末が使用する段階と、を含む。
【００２２】
第３の態様、又は第３の態様の第１の可能な実施例を参照すると、第３の可能な実施例において、可視光源配列が配置される位置の地理的位置属性情報と可視光源配列パターンとの間の予め設定された対応関係における、可視光源配列パターンに対応する地理的位置属性情報をモバイル端末が獲得する段階は、具体的には、
地図サーバに決定された可視光源配列パターンをモバイル端末が送信し、決定された可視光源配列パターンに対応している位置であり、且つ、可視光源配列が配置される位置の地理的位置属性情報を受信する段階であって、地理的位置属性情報は、格納された対応関係に従って地図サーバによって決定され、且つ、フィードバックされる、段階と、
可視光源配列が配置される位置の受信された地理的位置属性情報をモバイル端末の現在の地理的位置属性情報としてモバイル端末が使用する段階と、を含む。
【００２３】
第３の態様の第２又は第３の可能な実施例を参照すると、第４の可能な実施例において、可視光源配列が配置される位置の地理的位置属性情報をモバイル端末の現在の地理的位置属性情報としてモバイル端末が使用する段階は、具体的に、
可視光源配列が配置される位置の物理的位置情報をモバイル端末の現在の物理的位置情報としてモバイル端末が使用する段階と、
可視光源配列が配置される位置の地理的方向情報に対応する方向指示線と、モバイル端末が、可視光源配列に含まれる各可視光源によって示される発光状態を取り込むときに特定される軸との間の挟角に従って、モバイル端末の現在の地理的移動方向情報をモバイル端末が決定する段階と、を含む。
【００２４】
第４の態様に従って、可視光源コントローラが提供される。当該コントローラは、
可視光源配列が配置される位置の地理的位置属性情報を取得するよう構成される第１の取得ユニットと、
可視光源配列が配置される位置の地理的位置属性情報と可視光源配列パターンとの間の予め設定された対応関係に従って、取得された地理的位置属性情報に対応する可視光源配列パターンであって、可視光源配列に含まれる各可視光源に対応する発光状態を識別すべく個別に使用される識別情報によって形成される符号化情報を指す可視光源配列パターンを決定するよう構成される決定ユニットと
決定された可視光源配列パターンに従って、可視光源配列に含まれる各可視光源の発光状態を制御するよう構成される制御ユニットと、を含む。
【００２５】
第４の態様を参照すると、第１の可能な実施例において、第１の取得ユニットによって取得される地理的位置属性情報は物理的位置情報及び地理的方向情報を含む。
【００２６】
第４の態様、又は第４の態様の第１の可能な実施例を参照すると、第２の可能な実施例において、可視光源コントローラは、第２の取得ユニットをさらに含む。第２の取得ユニットは、可視光源配列が配置される位置の地理的位置属性情報と可視光源配列パターンとの間の予め設定された対応関係をネットワークを介して取得するよう構成され、当該対応関係は、地図サーバに格納される。
【００２７】
第４の態様、又は第４の態様の第１及び第２の可能な実施例を参照すると、第３の可能な実施例において、制御ユニットは、具体的には、
可視光源配列における少なくとも２つの隣接する可視光源の発光状態を、互いに異なるように制御するか、又は
可視光源配列における少なくとも２つの隣接する可視光源の発光状態を、同じになるように制御するよう構成される。
【００２８】
第４の態様、又は第４の態様の第１から第３の可能な実施例を参照すると、第４の可能な実施例において、可視光源コントローラは送信ユニットをさらに含む。当該送信ユニットは、少なくとも１つの可視光源が可視光源配列に追加されると決定されるとき、可視光源配列の可視光源配列パターンを更新し、更新された可視光源配列パターンと、当該可視光源配列パターンに対応する地理的位置属性情報との間の対応関係をネットワークを介して地図サーバに送信し、そうして、地図サーバが、可視光源配列パターンと地理的位置属性情報との間の既存の対応関係を更新するよう構成される。
【００２９】
第５の態様に従って、可視光源コントローラが提供される。当該可視光源コントローラは、
可視光源配列に含まれる各可視光源に対応する発光状態を識別すべく個別に使用される識別情報によって形成される符号化情報を指す可視光源配列パターンを受信するよう構成される受信ユニットと、
受信された可視光源配列パターンに従って、可視光源配列に含まれる各可視光源の発光状態を制御するよう構成される制御ユニットと、を含む。
【００３０】
第６の態様に従って、モバイル端末が提供される。当該モバイル端末は、
モバイル端末が現在位置する位置において、可視光源配列に含まれる各可視光源によって示される発光状態を取り込むよう構成される取込ユニットと、
各可視光源によって示される取り込まれた発光状態に従って、可視光源配列に対応する可視光源配列パターンであって、可視光源配列に含まれる各可視光源に対応する発光状態を識別すべく個別に使用される識別情報によって形成される符号化情報を指す可視光源配列パターンを決定するよう構成される第３の決定ユニットと、
可視光源配列が配置される位置の地理的位置属性情報と可視光源配列パターンとの間の予め設定された対応関係における、可視光源配列パターンに対応する地理的位置属性情報を獲得するよう構成される獲得ユニットと、
可視光源配列パターンに対応する地理的位置属性情報をモバイル端末の現在の地理的位置属性情報として使用するよう構成される第４の決定ユニットと、を含む。
【００３１】
第６の態様を参照すると、第１の可能な実施例において、獲得ユニットによって獲得された地理的位置属性情報は物理的位置情報及び地理的方向情報を含む。
【００３２】
第６の態様、又は第６の態様の第１の可能な実施例を参照すると、第２の可能な実施例において、第４の決定ユニットは、具体的には、
可視光源配列が配置される位置の地理的位置属性情報と可視光源配列パターンとの間の局所的に格納された対応関係に従って、決定された可視光源配列パターンに対応している位置であり、且つ、可視光源配列が配置される位置の地理的位置属性情報を獲得し、
可視光源配列が配置される位置の獲得された地理的位置属性情報を、モバイル端末の現在の地理的位置属性情報として使用するよう構成される。
【００３３】
第６の態様、又は第６の態様の第１及び第２の可能な実施例を参照すると、第３の可能な実施例において、第４の決定ユニットは、具体的には、第３の決定ユニットによって決定される可視光源配列パターンを地図サーバに送信し、決定された可視光源配列パターンに対応している位置であり、且つ、可視光源配列が配置される位置の地理的位置属性情報であって、格納された対応関係に従って地図サーバによって決定され、フィードバックされる地理的位置属性情報を受信し、
可視光源配列が配置される位置の受信された地理的位置属性情報をモバイル端末の現在の地理的位置属性情報として使用するよう構成される。
【００３４】
第６の態様、又は第６の態様の第１から第３の可能な実施例を参照すると、第４の可能な実施例において、第４の決定ユニットは、具体的には、可視光源配列が配置される位置の物理的位置情報をモバイル端末の現在の物理的位置情報として使用し、
可視光源配列が配置される位置の地理的方向情報に対応する方向指示線と、モバイル端末が、可視光源配列に含まれる各可視光源によって示される発光状態を取り込むときに特定される軸との間の挟角に従って、モバイル端末の現在の地理的移動方向情報を決定するよう構成される。
【００３５】
本発明の複数の実施形態において提供される位置決定方法において、モバイル端末は可視光源配列に含まれる各可視光源によって示される発光状態を直接取得し得、故に、モバイル端末は、各可視光源によって示される取得された発光状態に従って、可視光源配列に対応する可視光源配列パターンであって、可視光源配列に含まれる各可視光源に対応する発光状態を識別すべく個別に使用される識別情報によって形成される符号化情報を指す可視光源配列パターンをさらに決定して、モバイル端末の現在の地理的位置属性情報を決定し得る。モバイル端末の現在の地理的位置属性情報は、光受信機によって転送される信号を使用することなく決定される。故に、位置決定プロセスの複雑さは低減される。
【図面の簡単な説明】
【００３６】
【図１】従来技術における可視光通信システムの概略図である。
【００３７】
【図２Ａ】本発明の実施形態に係る可視光通信システムの概略図である。
【００３８】
【図２Ｂ】本発明の実施形態に係る、可視光源に基づく位置決定の第１の詳細なフローチャートである。
【００３９】
【図２Ｃ】本発明の実施形態に係る、可視光源配列パターンの概略図である。
【００４０】
【図２Ｄ】本発明の実施形態に係る、コントローラと可視光源との間の対応関係の概略図である。
【００４１】
【図２Ｅ】本発明の実施形態に係る、可視光源配列の発光状態の制御の概略図である。
【００４２】
【図２Ｆ】本発明の実施形態に係る、可視光源に基づく位置決定の第２の詳細なフローチャートである。
【００４３】
【図３Ａ】本発明の実施形態に係る、可視光源に基づく位置決定の第３の詳細なフローチャートである。
【００４４】
【図３Ｂ】本発明の実施形態に係る、可視光源配列とモバイル端末との間の挟角の第１の概略図である。
【００４５】
【図３Ｃ】本発明の実施形態に係る、可視光源配列とモバイル端末との間の挟角の第２の概略図である。
【００４６】
【図４Ａ】本発明の実施形態に係る、可視光源に基づく位置決定のプロセスのフローチャートである。
【図４Ｂ】本発明の実施形態に係る、可視光源に基づく位置決定のプロセスのフローチャートである。
【００４７】
【図５】本発明の実施形態に係る、可視光源コントローラの機能構造の第１の概略図である。
【００４８】
【図６】本発明の実施形態に係る、可視光源コントローラの機能構造の第２の概略図である。
【００４９】
【図７】本発明の実施形態に係る、モバイル端末の機能構造の概略図である。
【発明を実施するための形態】
【００５０】
本発明の複数の実施形態の複数の目的、複数の技術的解決法、及び複数の利点をより明確にすべく、本発明の複数の実施形態において複数の添付の図面を参照し、以下において、本発明の複数の実施形態における複数の技術的解決法を明確且つ完全に説明する。明らかに、説明される複数の実施形態は、本発明の複数の実施形態のうちのいくつかではあるが全てではない。創造努力なしに、本発明の複数の実施形態に基づいて当業者によって得られる他の全ての実施形態は、本発明の保護範囲に含まれる。
【００５１】
加えて、「システム」及び「ネットワーク」という用語は、本明細書において互換的に使用され得る。本明細書における「及び／又は」という用語は、複数の関連する物体を説明するための対応関係のみを説明し、３つの関係が存在し得ることを表す。例えば、Ａ及び／又はＢは、次の３つの場合：Ａのみが存在、Ａ及びＢの両方が存在、並びにＢのみが存在、を表し得る。加えて、本明細書における記号「／」は、概して、複数の関連する物体の間の「又は」の関係を示す。
【００５２】
可視光源を使用することによって位置決定をする間、位置決定プロセスが比較的複雑であり、且つ、位置決定方法が比較的単一である、という従来技術における問題を解消すべく、本発明の複数の実施形態は、３つの位置決定方法を提供する。それらの方法は可視光源位置決定システムにおいて適用され、当該システムは可視光源配列及び可視光源コントローラを有し、当該可視光源配列は少なくとも１つの可視光源を含む。
【００５３】
方法は次のようなものである。可視光源コントローラが、可視光源配列が配置される位置の地理的位置属性情報を取得し、可視光源コントローラが、可視光源配列が配置される位置の地理的位置属性情報と可視光源配列パターンとの間の予め設定された対応関係に従って、取得された地理的位置属性情報に対応する可視光源配列パターンであって、可視光源配列に含まれる各可視光源に対応する発光状態を識別すべく個別に使用される識別情報によって形成される符号化情報を指す可視光源配列パターンを決定し、可視光源コントローラが、決定された可視光源配列パターンに従って、可視光源配列に含まれる各可視光源の発光状態を制御する。このようにして、可視光源配列に含まれる各可視光源の発光状態を取得するとき、モバイル端末は可視光源配列に含まれる各可視光源の発光状態を直接取得して、モバイル端末の現在の地理的位置属性情報を決定し得る。モバイル端末の現在の地理的位置属性情報は、光受信機によって転送される信号を使用することなく決定される。故に、位置決定プロセスの複雑さは低減される。
【００５４】
別の方法は次のようなものである。可視光源コントローラが、可視光源配列パターンであって、可視光源配列に含まれる各可視光源に対応する発光状態を識別すべく個別に使用される識別情報によって形成される符号化情報を指す可視光源配列パターンを受信し、可視光源コントローラが、受信された可視光源配列パターンに従って、可視光源配列に含まれる各可視光源の発光状態を制御する。このようにして、可視光源配列に含まれる各可視光源の発光状態を取得するとき、モバイル端末は、可視光源配列に含まれる各可視光源の発光状態を直接取得して、モバイル端末の現在の地理的位置属性情報を決定し得る。モバイル端末の現在の地理的位置属性情報は、光受信機によって転送される信号を使用することなく決定される。故に、位置決定プロセスの複雑さは低減される。
【００５５】
さらに別の方法は次のようなものである。モバイル端末が、モバイル端末が現在位置する位置において、可視光源配列に含まれる各可視光源によって示される発光状態を取り込み、モバイル端末が、各可視光源によって示される取り込まれた発光状態に従って、可視光源配列に対応する可視光源配列パターンであって、可視光源配列に含まれる各可視光源に対応する発光状態を識別すべく個別に使用される識別情報によって形成される符号化情報を指す可視光源配列パターンを決定し、モバイル端末が、可視光源配列が配置される位置の地理的位置属性情報と可視光源配列パターンとの間の予め設定された対応関係における、可視光源配列パターンに対応する地理的位置属性情報を獲得し、モバイル端末が、可視光源配列パターンに対応する地理的位置属性情報を、モバイル端末の現在の地理的位置属性情報として使用する。このようにして、モバイル端末は、可視光源配列に含まれる各可視光源の発光状態を直接取得して、モバイル端末の現在の地理的位置属性情報を決定し得る。モバイル端末の現在の地理的位置属性情報は、光受信機によって転送される信号を使用することなく決定される。故に、位置決定プロセスの複雑さは低減される。
【００５６】
複数の添付の図面を参照して、以下に本発明の任意選択の複数の実施例を詳細に説明する。それらの方法は、具体的に図２Ａにおいて示される可視光源位置決定システムにおいて適用される。当該システムは、可視光源配列及び可視光源コントローラを有する。可視光源配列は、少なくとも１つの可視光源を含む。
【００５７】
図２Ｂを参照すると、本発明のこの実施形態において、可視光源に基づく位置決定の第１の詳細なプロセスは、以下のようなものである。
【００５８】
段階２００：可視光源コントローラが、可視光源配列が配置される位置の地理的位置属性情報を取得する。
【００５９】
段階２１０：可視光源コントローラが、可視光源配列が配置される位置の地理的位置属性情報と可視光源配列パターンとの間の予め設定された対応関係に従って、取得された地理的位置属性情報に対応する可視光源配列パターンであって、可視光源配列に含まれる各可視光源に対応する発光状態を識別すべく個別に使用される識別情報によって形成される符号化情報を指す可視光源配列パターンを決定する。
【００６０】
段階２２０：可視光源コントローラが、決定された可視光源配列パターンに従って、可視光源配列に含まれる各可視光源の発光状態を制御する。
【００６１】
本発明のこの実施形態において、可視光源は多くの種類のものを含み、例えば、ＬＥＤ（Ｌｉｇｈｔ  Ｅｍｉｔｔｉｎｇ  Ｄｉｏｄｅ、発光ダイオード）灯であってよく、又は白熱灯であってよく、又は蛍光灯であってよい。実際の適用において、可視光源は、可視光を発する任意の構成要素であり得る。その構成要素については再び本明細書において詳細に説明されることはない。
【００６２】
実際の適用において、モバイル端末は、モバイル端末が現在位置する位置において、可視光源配列の物理的位置情報を取得する必要があるのみならず、モバイル端末の地理的移動方向の指標、例えば、移動方向が東西南北のどの方向であるかを示す指標を取得する必要もある場合がある。故に、地理的位置属性情報は、物理的位置情報及び地理的方向情報を含む。物理的位置情報は、少なくとも、可視光源配列が存在する建物の名称についての情報、可視光源配列が存在するフロアの階数についての情報、及び、可視光源配列のシリアル番号についての情報を含む。
【００６３】
本発明のこの実施形態において、可視光源配列パターンは、可視光源配列に含まれる各可視光源に対応する発光状態を識別すべく個別に使用される識別情報によって形成される符号化情報を指す。例えば、可視光源配列Ａは４５個の可視光源を含み、任意の可視光源の、光源がスイッチオンの状態は「１」を使用して特定され、任意の可視光源の、光源がスイッチオフの状態は「０」を使用して特定される。そして、可視光源配列Ａのパターンは、図２Ｃにおいて示される符号化情報を使用して示され得る。
【００６４】
本発明のこの実施形態において、取得された地理的位置属性情報に対応する可視光源配列パターンが決定された後、可視光源配列に含まれる各可視光源の発光状態は、決定された可視光源配列パターンに従って制御される。
【００６５】
図２Ｃは説明のための例として使用される。可視光源配列パターンが決定された後、パターンにおける識別情報が「１」である場合、その識別情報に対応する物理的位置に配置される可視光源は、発光するよう制御され、又は、パターンにおける識別情報が「０」である場合、その識別情報に対応する位置に配置される可視光源は、発光を停止するよう制御される。
【００６６】
本発明のこの実施形態において、可視光源配列が配置される位置の地理的位置属性情報と可視光源配列パターンとの間の予め設定された対応関係に従って、取得された地理的位置属性情報に対応する可視光源配列パターンを決定する前に、可視光源コントローラは、可視光源配列が配置される位置の地理的位置属性情報と可視光源配列パターンとの間の予め設定された対応関係であって、地図サーバに格納される対応関係を、ネットワークを介して可視光源コントローラが取得する動作をさらに実行し得る。
【００６７】
本発明のこの実施形態においては、可視光源配列に含まれる各可視光源の発光状態を制御する多数の方式が存在する。任意で、可視光源コントローラは、可視光源配列における少なくとも２つの隣接する可視光源の発光状態を、互いに異なるように制御するか、又は、可視光源コントローラは、可視光源配列における少なくとも２つの隣接する可視光源の発光状態を、同じになるように制御する。
【００６８】
実際の適用において、分解能の問題により、モバイル端末は各可視光源によって示される発光状態を十分に認識し得ず、その結果、可視光源配列に対応する可視光源配列パターンを正確に決定し得ず、位置決定のエラー又は位置決定の失敗をもたらす。そのような起こり得る場合を考慮して、複数の隣接する可視光源の発光状態は、同時に同じになるようにされ得、そうして、モバイル端末は各可視光源によって示される発光状態を十分に認識し得、可視光源配列に対応する可視光源配列パターンがより正確に決定され得る。例えば、図２Ｄにおいて示されるように、可視光源配列は４０個の可視光源を含む。４つの隣接する可視光源は同時に同じ発光状態にある。
【００６９】
本発明のこの実施形態において、地理的位置属性情報は物理的位置情報及び地理的方向情報を含む。
【００７０】
物理的位置情報が、少なくとも、可視光源配列が存在する建物の名称についての情報、可視光源配列が存在するフロアの階数についての情報、及び、可視光源配列のシリアル番号についての情報を含む場合、可視光源配列パターンは、可視光源配列が存在する建物の名称についての情報を示すべく使用される第１の可視光源配列パターンと、可視光源配列が存在するフロアの階数についての情報を示すべく使用される第２の可視光源配列パターンと、可視光源配列のシリアル番号についての情報を示すべく使用される第３の可視光源配列パターンと、可視光源配列の地理的方向情報を示すべく使用される第４の可視光源配列パターンとに分割される。この場合、図２Ｅにおいて示されるように、可視光源配列に含まれる各可視光源の発光状態が、決定された可視光源配列パターンに従って制御される場合、可視光源配列に含まれる各可視光源の発光状態は、第１の可視光源配列パターンと、第２の可視光源配列パターンと第３の可視光源配列パターンと、第４の可視光源配列パターンとに従って個別に制御され得る。
【００７１】
本発明のこの実施形態において、可視光源配列パターンが決定された後、且つ、可視光源配列に含まれる各可視光源の発光状態が、決定された可視光源配列パターンに従って制御される前に、開始信号が送信され、開始信号が送信された後、可視光源配列に含まれる各可視光源の発光状態が、決定された可視光源配列パターンに従って制御され、その後、終了信号が送信され得る。
【００７２】
開始信号は一定の可視光源配列パターンであってよく、又は、さらに、同一の可視光源配列パターンが連続フレーム内で受信されてよい。
【００７３】
同様に、終了信号もまた一定の可視光源配列パターンであってよく、又は、さらに、同一の可視光源配列パターンが連続フレーム内で受信されてよい。開始信号としての一定の可視光源配列パターンは、終了信号としての一定の可視光源配列パターンと同じであっても異なっていてもよい。
【００７４】
本発明のこの実施形態において、複数の一定の可視光源配列パターンが開始信号及び終了信号として使用され、このことは無効なパターンフレームのオーバーヘッドを増やす。故に、可視光源配列パターンが、第１の可視光源配列パターンと、第２の可視光源配列パターンと、第３の可視光源配列パターンと、第４の可視光源配列パターンとに分割される場合、第４の可視光源配列パターンは開始信号として使用され得、且つ、第４の可視光源配列パターンは、終了信号をも示し得るか、又は、終了信号は省略され得る。そうして、可視光源配列に含まれる各可視光源の発光状態が、決定された可視光源配列パターンに従って制御されるプロセスの期間を短縮させ、効率を改善する。
【００７５】
本発明のこの実施形態において、実際の適用において、可視光源は、いつでも当該可視光源配列に追加されてよい。この場合、少なくとも１つの可視光源が可視光源配列に追加されたと決定するとき、可視光源コントローラは、可視光源配列の可視光源配列パターンを更新し、更新された可視光源配列パターンと、当該可視光源配列パターンに対応する地理的位置属性情報との間の対応関係をネットワークを介して地図サーバに送信する。そうして、地図サーバが可視光源配列パターンと地理的位置属性情報との間の既存の対応関係を更新するようにする。
【００７６】
本発明のこの実施形態は、地図サーバに格納される、可視光源配列が配置される位置の地理的位置属性情報と可視光源配列パターンとの間の対応関係が、一対一の対応関係であることを地図サーバがどのように保証するか、つまり、１つの可視光源配列パターンがただ１つの地理的位置属性情報に対応することの保証の仕方を説明する。地図サーバにおいては、可視光源配列パターンは、可視光源配列パターンに対応する地理的位置属性情報の中国語の名称情報であって、可視光源が存在するフロアについての情報を含むのみならず、建物の名称についての情報もまた含む、地理的位置属性情報の中国語の名称情報の符号化情報に従って決定されるので、任意の２グループの可視光源が同じ地理的位置属性情報の中国語の名称情報を有する確率は比較的低い、つまり、任意の２グループの可視光源が配置される位置の地理的位置属性情報の中国語の名称情報の符号化情報が同じである確率は比較的低い。故に、地図サーバに格納される、可視光源配列が配置される位置の地理的位置属性情報と可視光源配列パターンとの間の対応関係は、一対一の対応関係である。
【００７７】
図２Ｆを参照すると、本発明の一実施形態において、可視光源に基づく位置決定の第２の詳細なプロセスは次のようなものである。
【００７８】
段階２０００：可視光源コントローラが可視光源配列パターンを受信する。可視光源配列パターンは、可視光源配列に含まれる各可視光源に対応する発光状態を識別すべく個別に使用される識別情報によって形成される符号化情報を指す。
【００７９】
段階２１００：可視光源コントローラが、受信された可視光源配列パターンに従って、可視光源配列に含まれる各可視光源の発光状態を制御する。
【００８０】
図３Ａを参照すると、本発明の一実施形態において、可視光源に基づく位置決定の第３の詳細なプロセスは次のようなものである。
【００８１】
段階３００：モバイル端末が、モバイル端末が現在位置する位置において、可視光源配列に含まれる各可視光源によって示される発光状態を取り込む。
【００８２】
段階３１０：モバイル端末が、各可視光源によって示される取り込まれた発光状態に従って、可視光源配列に対応する可視光源配列パターンを決定する。可視光源配列パターンは、可視光源配列に含まれる各可視光源に対応する発光状態を識別すべく個別に使用される識別情報によって形成される符号化情報を指す。
【００８３】
段階３２０：モバイル端末が、可視光源配列が配置される位置の地理的位置属性情報と可視光源配列パターンとの間の予め設定された対応関係における、可視光源配列パターンに対応する地理的位置属性情報を獲得する。
【００８４】
段階３３０：モバイル端末が、可視光源配列パターンに対応する地理的位置属性情報をモバイル端末の現在の地理的位置属性情報として使用する。
【００８５】
本発明のこの実施形態において、地理的位置属性情報は、例えば、物理的位置情報及び地理的方向情報を含む複数の形態である。
【００８６】
本発明のこの実施形態において、モバイル端末が、可視光源配列が配置される位置の地理的位置属性情報と可視光源配列パターンとの間の予め設定された対応関係における、可視光源配列パターンに対応する地理的位置属性情報を獲得する多数の方式が存在する。
【００８７】
任意で、モバイル端末は、可視光源配列が配置される位置の地理的位置属性情報と可視光源配列パターンとの間の、局所的に格納された対応関係に従って、決定された可視光源配列パターンに対応している位置であり、且つ、可視光源配列が配置される位置の地理的位置属性情報を獲得し、
モバイル端末は、可視光源配列が配置される位置の決定された地理的位置属性情報をモバイル端末の現在の地理的位置属性情報として使用する。
【００８８】
モバイル端末が、決定された可視光源配列パターンを地図サーバに送信し、決定された可視光源配列パターンに対応している位置であり、且つ、可視光源配列が配置される位置の地理的位置属性情報であって、格納された対応関係に従って、地図サーバによって決定され、フィードバックされる地理的位置属性情報を受信し、
モバイル端末が、可視光源配列が配置される位置の受信された地理的位置属性情報をモバイル端末の現在の地理的位置属性情報として使用する場合もある。
【００８９】
本発明のこの実施形態において、可視光源配列が配置される位置の地理的位置属性情報をモバイル端末の現在の地理的位置属性情報として使用する多数の方式が存在する。任意で、モバイル端末は、可視光源配列が配置される位置の物理的位置情報を、モバイル端末の現在の物理的位置属性情報として使用し、モバイル端末は、可視光源配列が配置される位置の地理的方向情報に対応する方向指示線と、モバイル端末が、可視光源配列に含まれる各可視光源によって示される発光状態を取り込むときに特定される軸との間の挟角に従って、モバイル端末の現在の地理的移動方向情報を決定する。
【００９０】
可視光源配列が配置される位置の地理的方向情報に対応する方向指示線と、モバイル端末が、可視光源配列に含まれる各可視光源によって示される発光状態を取り込むときに特定される軸との間の挟角は、図３Ｂ及び図３Ｃに示される。
【００９１】
本発明のこの実施形態のより良い理解のために、以下に特定の適用シナリオを提供する。図４Ａ及び図４Ｂにおいて具体的に示される可視光源に基づく位置決定のプロセスについて、詳細な説明がさらに提供される（可視光源配列がＡであり、モバイル端末がＢである）。
【００９２】
段階４００：Ａが配置される位置の地理的位置属性情報を、Ａが取得する。
【００９３】
この段階において、Ａは複数の可視光源を含む。
【００９４】
段階４１０：Ａが配置される位置の地理的位置属性情報と、Ａが配置される位置を示すべく使用される可視光源配列パターンとの間の予め設定された対応関係に従って、取得された地理的位置属性情報に対応する可視光源配列パターンをＡが決定する。
【００９５】
この段階において、可視光源配列パターンは、Ａに含まれる各可視光源に対応する発光状態を識別すべく個別に使用される識別情報によって形成される符号化情報を指す。
【００９６】
段階４２０：開始信号を送信した後、決定された可視光源配列パターンに従って、Ａが、Ａに含まれる各可視光源の発光状態を制御し、終了信号を送信する。
【００９７】
この段階において、開始信号は、６つの連続フレーム内の複数の可視光源配列パターンが同じであり、終了信号は開始信号と同じである。
【００９８】
段階４３０：Ｂが現在位置する位置において、Ａに含まれる各可視光源によって示される発光状態を、カメラを使用してＢが取り込む。
【００９９】
段階４４０：各可視光源によって示される取り込まれた発光状態に従って、Ａに対応する可視光源配列パターンをＢが決定する。
【０１００】
可視光源配列パターンは、Ａに含まれる各可視光源に対応する発光状態を識別すべく個別に使用される識別情報によって形成される符号化情報を指す。
【０１０１】
段階４５０：Ｂが、開始信号及び終了信号を示す複数の可視光源配列パターンを、受信された複数の可視光源配列パターンから除去し、残りの複数の可視光源配列パターンにおける複数の同一パターンを組み合わせる。
【０１０２】
この段階において、複数のパターンを組み合わせる段階は、複数の同一パターンのうちのいずれか１つを取り置く段階と、残りの複数のパターンを削除する段階とを指す。
【０１０３】
段階４６０：Ｂが、決定された可視光源配列パターンを地図サーバに送信する。
【０１０４】
段階４７０：地図サーバが、可視光源配列パターンとＡが配置される位置の地理的位置属性情報との間の格納された対応関係に従って、Ａが配置される位置の物理的位置情報と、Ａの地理的方向情報とを決定し、Ａが配置される位置の物理的位置情報と、Ａの地理的方向情報とをＢに送信する。
【０１０５】
この段階において、Ａの地理的方向情報は、少なくとも、Ａの方向、例えば、東西南北、についての識別情報を含む。
【０１０６】
段階４８０：Ｂが、Ａが配置される位置の地理的位置属性情報に含まれる受信された物理的位置情報をＢの現在の物理的位置情報として使用し、Ａが配置される位置の地理的方向情報に対応する方向指示線と、Ａに含まれる各可視光源によって示される発光状態をＢが取り込むときに特定される軸との間の挟角に従って、Ｂの現在の地理的移動方向情報を決定する。
【０１０７】
図５を参照すると、本発明の実施形態は可視光源コントローラをさらに提供する。可視光源コントローラは次のものを含む。可視光源配列が配置される位置の地理的位置属性情報を取得するよう構成される第１の取得ユニット５００。可視光源配列が配置される位置の地理的位置属性情報と可視光源配列パターンとの間の予め設定された対応関係に従って、取得された地理的位置属性情報に対応する可視光源配列パターンであって、可視光源配列に含まれる各可視光源に対応する発光状態を識別すべく個別に使用される識別情報によって形成される符号化情報を指す可視光源配列パターンを決定するよう構成される決定ユニット５１０。決定された可視光源配列パターンに従って、可視光源配列に含まれる各可視光源の発光状態を制御するよう構成される制御ユニット５２０。
【０１０８】
本発明のこの実施形態において、第１の取得ユニット５００によって取得される地理的位置属性情報は、任意で、物理的位置情報及び地理的方向情報を含む。
【０１０９】
本発明のこの実施形態において、可視光源コントローラは第２の取得ユニット５３０をさらに含む。第２の取得ユニット５３０は、可視光源配列が配置される位置の地理的位置属性情報と可視光源配列パターンとの間の予め設定された対応関係を、ネットワークを介して取得するよう構成される。当該対応関係は、地図サーバに格納される。
【０１１０】
本発明のこの実施形態において、制御ユニット５２０は、可視光源配列における少なくとも２つの隣接する可視光源の発光状態を互いに異なるように制御するか、又は、可視光源配列における少なくとも２つの隣接する可視光源の発光状態を同じになるように制御するよう具体的に構成される。
【０１１１】
本発明のこの実施形態において、可視光源コントローラは送信ユニット５４０をさらに含む。送信ユニット５４０は、少なくとも１つの可視光源が可視光源配列に追加されると決定されるとき、可視光源配列の可視光源配列パターンを更新し、更新された可視光源配列パターンと、当該可視光源配列パターンに対応する地理的位置属性情報との間の対応関係を、ネットワークを介して地図サーバに送信し、そうして、地図サーバが、可視光源配列パターンと地理的位置属性情報との間の既存の対応関係を更新するよう構成される。
【０１１２】
図６を参照すると、本発明の実施形態は可視光源コントローラをさらに提供する。可視光源コントローラは次のものを含む。可視光源配列に含まれる各可視光源に対応する発光状態を識別すべく個別に使用される識別情報によって形成される符号化情報を指す可視光源配列パターンを受信するよう構成される受信ユニット６００。受信された可視光源配列パターンに従って、可視光源配列に含まれる各可視光源の発光状態を制御するよう構成される制御ユニット６１０。
【０１１３】
図７を参照すると、本発明の実施形態はモバイル端末をさらに提供する。モバイル端末は、次のものを含む。モバイル端末が現在位置する位置において、可視光源配列に含まれる各可視光源によって示される発光状態を取り込むよう構成される取込ユニット７００。各可視光源によって示される取り込まれた発光状態に従って、可視光源配列に対応する可視光源配列パターンであって、可視光源配列に含まれる各可視光源に対応する発光状態を識別すべく個別に使用される識別情報によって形成される符号化情報を指す可視光源配列パターンを決定するよう構成される第３の決定ユニット７１０。可視光源配列が配置される位置の地理的位置属性情報と可視光源配列パターンとの間の予め設定された対応関係における、可視光源配列パターンに対応する地理的位置属性情報を獲得するよう構成される獲得ユニット７２０。さらに、可視光源配列パターンに対応する地理的位置属性情報をモバイル端末の現在の地理的位置属性情報として使用するよう構成される第４の決定ユニット７３０。
【０１１４】
本発明のこの実施形態において、取得ユニット７２０によって取得される地理的位置属性情報は、任意で、物理的位置情報及び地理的方向情報を含む。
【０１１５】
本発明のこの実施形態において、任意で、第４の決定ユニット７３０は、具体的に、可視光源配列が配置される位置の地理的位置属性情報と可視光源配列パターンとの間の局所的に格納された対応関係に従って、決定された可視光源配列パターンに対応している位置であり、且つ、可視光源配列が配置される位置の地理的位置属性情報を獲得し、可視光源配列が配置される位置の決定された地理的位置属性情報を、モバイル端末の現在の地理的位置属性情報として使用するよう構成される。
【０１１６】
本発明のこの実施形態において、任意で、第４の決定ユニット７３０は具体的に、
第３の決定ユニット７１０によって決定される可視光源配列パターンを地図サーバに送信し、決定された可視光源配列パターンに対応している位置であり、且つ、可視光源配列が配置される位置の地理的位置属性情報であって、格納された対応関係に従って地図サーバによって決定され、フィードバックされる地理的位置属性情報を受信し、可視光源配列が配置される位置の受信された地理的位置属性情報を、モバイル端末の現在の地理的位置属性情報として使用するよう構成される。
【０１１７】
本発明のこの実施形態において、任意で、第４の決定ユニット７３０は具体的に、
可視光源配列が配置される位置の物理的位置情報を、モバイル端末の現在の物理的位置情報として使用し、可視光源配列が配置される位置の地理的方向情報に対応する方向指示線と、モバイル端末が、可視光源配列に含まれる各可視光源によって示される発光状態を取り込むときに特定される軸との間の挟角に従って、モバイル端末の現在の地理的移動方向情報を決定するよう構成される。
【０１１８】
結論として、本発明のこの実施形態において、モバイル端末は、可視光源配列に含まれる各可視光源の発光状態を直接取得して、モバイル端末の現在の地理的位置属性情報を決定し得る。モバイル端末の現在の地理的位置属性情報は、光受信機によって転送される信号を使用することなく決定される。故に、位置決定プロセスの複雑さは低減される。
【０１１９】
本発明は、本発明の複数の実施形態に係る、方法、デバイス（システム）、及びコンピュータプログラム製品のフローチャート及び／又はブロック図を参照して説明される。複数のコンピュータプログラム命令は、複数のフローチャート及び／又は複数のブロック図における各プロセス及び／又は各ブロック、及び、複数のフローチャート及び／又は複数のブロック図におけるプロセス及び／又はブロックの組み合わせを実施すべく使用され得ることが理解されるべきである。これらのコンピュータプログラム命令は、汎用コンピュータ、専用コンピュータ、組み込み型プロセッサ、又は機械を生成するための任意の他のプログラム可能データ処理デバイスのプロセッサに提供されて、コンピュータ又は任意の他のプログラム可能データ処理デバイスのプロセッサによって実行される複数の命令が、複数のフローチャートの１又は複数のプロセスにおける、及び／又は複数のブロック図の１又は複数のブロックにおける機能を実施するための装置を生成するようにし得る。
【０１２０】
これらのコンピュータプログラム命令はまた、コンピュータ又は任意の他のプログラム可能データ処理デバイスに命令して特定の方式で機能させるようにし得るコンピュータ可読メモリに格納されて、コンピュータ可読メモリに格納されるそれらの命令が、命令装置を含むアーチファクトを生成するようにし得る。命令装置は、複数のフローチャートの１又は複数のプロセスにおける、及び／又は、複数のブロック図の１又は複数のブロックにおける機能を実施する。
【０１２１】
これらのコンピュータプログラム命令はまた、コンピュータ又は別のプログラム可能データ処理デバイス上にロードされて、一連の動作及び段階がコンピュータ又は別のプログラム可能デバイス上で実行されるようにし得て、それにより、コンピュータにより実施される処理を生成する。故に、コンピュータ又は別のプログラム可能デバイス上で実行されるそれらの命令は、複数のフローチャートの１又は複数のプロセスにおける、及び／又は、複数のブロック図の１又は複数のブロックにおける機能を実施するするための複数の段階を提供する。
【０１２２】
本発明のいくつかの好適な実施形態が説明されてきたが、当業者ならば、基本的な発明概念を習得すれば、これらの実施形態に対して複数の変更及び複数の変形を施し得る。故に、以下の特許請求の範囲は、複数の好適な実施形態、並びに、本発明の範囲に含まれる全ての変更及び変形を網羅するものと解釈されることが意図される。
【０１２３】
明らかに、当業者ならば、本発明の複数の実施形態の主旨及び範囲から逸脱することなく、本発明の複数の実施形態に対して様々な変形及び変更を施し得る。このように、本発明は、これらの変形及び変更が、以下の特許請求の範囲及びその等価な複数の技術によって定義される保護範囲に含まれる限り、それらを網羅することが意図される。
【図２Ｂ】
2016538794.tif 000003
【図２Ｃ】
2016538794.tif 000004
【図２Ｄ】
2016538794.tif 000005
【図２Ｅ】
2016538794.tif 000006
【図２Ｆ】
2016538794.tif 000007
【図３Ａ】
2016538794.tif 000008
【図４Ａ】
2016538794.tif 000009
【図４Ｂ】
2016538794.tif 000010
【図５】
2016538794.tif 000011
【図６】
2016538794.tif 000012
【図７】
2016538794.tif 000013
【図１】
2016538794.tif 000014
【図２Ａ】
2016538794.tif 000015
【図３Ｂ】
2016538794.tif 000016
【図３Ｃ】
2016538794.tif 000017
【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
可視光源に基づく位置決定方法であって、
モバイル端末が現在位置する位置において、可視光源配列に含まれる各可視光源によって示される発光状態を、前記モバイル端末が取り込む段階と、
各可視光源によって示される前記取り込まれた発光状態に従って、前記可視光源配列に対応する可視光源配列パターンであって、前記可視光源配列に含まれる各可視光源に対応する前記発光状態を識別すべく個別に使用される識別情報によって形成される符号化情報を指す可視光源配列パターンを、前記モバイル端末が決定する段階と、
可視光源配列が配置される位置の地理的位置属性情報と可視光源配列パターンとの間の予め設定された対応関係における、前記可視光源配列パターンに対応する地理的位置属性情報を、前記モバイル端末が獲得する段階と、
前記可視光源配列パターンに対応する前記地理的位置属性情報を前記モバイル端末の現在の地理的位置属性情報として前記モバイル端末が使用する段階と、を備える
方法。
【請求項２】
前記地理的位置属性情報は、物理的位置情報及び地理的方向情報を有する
請求項１に記載の方法。
【請求項３】
可視光源配列が配置される位置の地理的位置属性情報と可視光源配列パターンとの間の予め設定された対応関係における、前記可視光源配列パターンに対応する地理的位置属性情報を、前記モバイル端末が獲得する前記段階は、具体的に、
可視光源配列が配置される位置の地理的位置属性情報と可視光源配列パターンとの間の局所的に格納された対応関係に従って、前記決定された可視光源配列パターンに対応している位置であり、且つ、前記可視光源配列が配置される位置の地理的位置属性情報を前記モバイル端末が獲得する段階と、
前記可視光源配列が配置される位置の前記獲得された地理的位置属性情報を前記モバイル端末の前記現在の地理的位置属性情報として前記モバイル端末が使用する段階と、を備える
請求項１または２に記載の方法。
【請求項４】
可視光源配列が配置される位置の地理的位置属性情報と可視光源配列パターンとの間の予め設定された対応関係における、前記可視光源配列パターンに対応する地理的位置属性情報を、前記モバイル端末が獲得する前記段階は、具体的に、
前記決定された可視光源配列パターンを前記モバイル端末が地図サーバに送信する段階と、前記決定された可視光源配列パターンに対応している位置であり、且つ、前記可視光源配列が配置される位置の地理的位置属性情報であって、格納された対応関係に従って前記地図サーバによって決定され、フィードバックされる地理的位置属性情報を受信する段階と、
前記可視光源配列が配置される前記位置の前記受信された地理的位置属性情報を前記モバイル端末の前記現在の地理的位置属性情報として前記モバイル端末が使用する段階と、を備える
請求項１または２に記載の方法。
【請求項５】
前記可視光源配列が配置される前記位置の前記地理的位置属性情報を前記モバイル端末の前記現在の地理的位置属性情報として前記モバイル端末が使用する前記段階は、具体的に、
前記可視光源配列が配置される前記位置の物理的位置情報を前記モバイル端末の現在の物理的位置情報として前記モバイル端末が使用する段階と、
前記可視光源配列が配置される前記位置の地理的方向情報に対応する方向指示線と、前記モバイル端末が、前記可視光源配列に含まれる各可視光源によって示される前記発光状態を取り込むときに特定される軸との間の挟角に従って、前記モバイル端末の現在の地理的移動方向情報を前記モバイル端末が決定する段階と、を備える
請求項３または４に記載の方法。
【請求項６】
可視光源に基づく位置決定方法であって、前記方法は可視光源位置決定システムにおいて適用され、前記システムは可視光源配列及び可視光源コントローラを備え、前記可視光源配列は少なくとも１つの可視光源を含み、前記方法は、
前記可視光源配列が配置される位置の地理的位置属性情報を前記可視光源コントローラが取得する段階と、
可視光源配列が配置される位置の地理的位置属性情報と可視光源配列パターンとの間の予め設定された対応関係に従って、前記取得された地理的位置属性情報に対応する可視光源配列パターンであって、前記可視光源配列に含まれる各可視光源に対応する発光状態を識別すべく個別に使用される識別情報によって形成される符号化情報を指す可視光源配列パターンを前記可視光源コントローラが決定する段階と、
前記決定された可視光源配列パターンに従って、前記可視光源配列に含まれる各可視光源の前記発光状態を前記可視光源コントローラが制御する段階と、を備える
方法。
【請求項７】
前記地理的位置属性情報は、物理的位置情報及び地理的方向情報を有する
請求項６に記載の方法。
【請求項８】
可視光源配列が配置される位置の地理的位置属性情報と可視光源配列パターンとの間の予め設定された対応関係に従って、前記取得された地理的位置属性情報に対応する可視光源配列パターンを前記可視光源コントローラが決定する前記段階の前に、さらに、
可視光源配列が配置される位置の地理的位置属性情報と可視光源配列パターンとの間の前記予め設定された対応関係を、ネットワークを介して前記可視光源コントローラが取得する段階を備え、
前記対応関係は地図サーバに格納される、
請求項６または７に記載の方法。
【請求項９】
前記可視光源配列に含まれる各可視光源の前記発光状態を前記可視光源コントローラが制御する段階は、具体的に、
前記可視光源配列における少なくとも２つの隣接する可視光源の発光状態を互いに異なるように、前記可視光源コントローラが制御する段階か、又は
前記可視光源配列における少なくとも２つの隣接する可視光源の発光状態を同じになるように、前記可視光源コントローラが制御する段階を備える
請求項６から８の何れか一項に記載の方法。
【請求項１０】
前記方法は、
前記可視光源配列に少なくとも１つの可視光源が追加されると決定するとき、地図サーバが、可視光源配列パターンと地理的位置属性情報との間の既存の前記対応関係を更新するよう、前記可視光源配列の前記可視光源配列パターンを、前記可視光源コントローラが更新する段階と、更新された可視光源配列パターンと、前記可視光源配列パターンに対応する地理的位置属性情報との間の対応関係を、ネットワークを介して前記地図サーバに送信する段階と、をさらに備える
請求項６から９の何れか一項に記載の方法。
【請求項１１】
可視光源に基づく位置決定方法であって、前記方法は可視光源位置決定システムにおいて適用され、前記システムは可視光源配列及び可視光源コントローラを備え、前記可視光源配列は複数の可視光源を含み、前記方法は、
前記可視光源配列に含まれる各可視光源に対応する発光状態を識別すべく個別に使用される識別情報によって形成される符号化情報を指す可視光源配列パターンを、前記可視光源コントローラが受信する段階と、
前記受信された可視光源配列パターンに従って、前記可視光源配列に含まれる各可視光源の前記発光状態を前記可視光源コントローラが制御する段階と、を備える
方法。
【請求項１２】
可視光源配列が配置される位置の地理的位置属性情報を取得する第１の取得ユニットと、
可視光源配列が配置される位置の地理的位置属性情報と可視光源配列パターンとの間の予め設定された対応関係に従って、前記取得された地理的位置属性情報に対応する可視光源配列パターンであって、前記可視光源配列に含まれる各可視光源に対応する発光状態を識別すべく個別に使用される識別情報によって形成される符号化情報を指す可視光源配列パターンを決定する決定ユニットと、
前記決定された可視光源配列パターンに従って、前記可視光源配列に含まれる各可視光源の前記発光状態を制御する制御ユニットと、を備える
可視光源コントローラ。
【請求項１３】
前記第１の取得ユニットによって取得される前記地理的位置属性情報は、物理的位置情報及び地理的方向情報を備える
請求項１２に記載の可視光源コントローラ。
【請求項１４】
可視光源配列が配置される位置の地理的位置属性情報と可視光源配列パターンとの間の前記予め設定された対応関係を、ネットワークを介して取得する第２の取得ユニットをさらに備え、前記対応関係は、地図サーバに格納される、
請求項１２または１３に記載の可視光源コントローラ。
【請求項１５】
前記制御ユニットは、具体的に、
前記可視光源配列における少なくとも２つの隣接する可視光源の発光状態を互いに異なるように制御するか、又は、
前記可視光源配列における少なくとも２つの隣接する可視光源の発光状態を同じになるように制御する
請求項１２から１４の何れか一項に記載の可視光源コントローラ。
【請求項１６】
送信ユニットをさらに備え、前記送信ユニットは、
前記可視光源配列に少なくとも１つの可視光源が追加されると決定するとき、地図サーバが可視光源配列パターンと地理的位置属性情報との間の既存の前記対応関係を更新するように、前記可視光源配列の前記可視光源配列パターンを更新し、更新された可視光源配列パターンと、前記可視光源配列パターンに対応する地理的位置属性情報との間の対応関係を、ネットワークを介して前記地図サーバに送信する
請求項１２から１５の何れか一項に記載の可視光源コントローラ。
【請求項１７】
可視光源配列に含まれる各可視光源に対応する発光状態を識別すべく個別に使用される識別情報によって形成される符号化情報を指す可視光源配列パターンを受信する受信ユニットと、
前記受信された可視光源配列パターンに従って、前記可視光源配列に含まれる各可視光源の前記発光状態を制御する制御ユニットと、を備える
可視光源コントローラ。
【請求項１８】
モバイル端末であって、
前記モバイル端末が現在位置する位置において、可視光源配列に含まれる各可視光源によって示される発光状態を取り込む取込ユニットと、
各可視光源によって示される前記取り込まれた発光状態に従って、前記可視光源配列に対応する可視光源配列パターンであって、前記可視光源配列に含まれる各可視光源に対応する前記発光状態を識別すべく個別に使用される識別情報によって形成される符号化情報を指す可視光源配列パターンを決定する第３の決定ユニットと、
可視光源配列が配置される位置の地理的位置属性情報と可視光源配列パターンとの間の予め設定された対応関係における、前記可視光源配列パターンに対応する地理的位置属性情報を獲得する獲得ユニットと、
前記可視光源配列パターンに対応する前記地理的位置属性情報を前記モバイル端末の現在の地理的位置属性情報として使用する第４の決定ユニットと、を備える
モバイル端末。
【請求項１９】
前記獲得ユニットによって獲得される前記地理的位置属性情報は、物理的位置情報及び地理的方向情報を有する
請求項１８に記載のモバイル端末。
【請求項２０】
前記第４の決定ユニットは、具体的に、
可視光源配列が配置される位置の地理的位置属性情報と可視光源配列パターンとの間の局所的に格納された対応関係に従って、前記決定された可視光源配列パターンに対応している位置であり、且つ、前記可視光源配列が配置される位置の地理的位置属性情報を獲得し、
前記可視光源配列が配置される前記位置の前記獲得された地理的位置属性情報を、前記モバイル端末の前記現在の地理的位置属性情報として使用する、
請求項１８または１９に記載のモバイル端末。
【請求項２１】
前記第４の決定ユニットは、具体的に、
前記第３の決定ユニットによって決定される前記可視光源配列パターンを地図サーバに送信し、前記決定された可視光源配列パターンに対応している位置であり、且つ、前記可視光源配列が配置される位置の地理的位置属性情報であって、格納された対応関係に従って前記地図サーバによって決定され、フィードバックされる前記地理的位置属性情報を受信し、
前記可視光源配列が配置される前記位置の前記受信された地理的位置属性情報を、前記モバイル端末の前記現在の地理的位置属性情報として使用する、
請求項１８または１９に記載のモバイル端末。
【請求項２２】
前記第４の決定ユニットは、具体的に、
前記可視光源配列が配置される前記位置の物理的位置情報を、前記モバイル端末の現在の物理的位置情報として使用し、
前記可視光源配列が配置される前記位置の地理的方向情報に対応する方向指示線と、前記モバイル端末が、前記可視光源配列に含まれる各可視光源によって示される前記発光状態を取り込むときに特定される軸との間の挟角に従って、前記モバイル端末の現在の地理的移動方向情報を決定する、
請求項２０または２１に記載のモバイル端末。
【手続補正２】
【補正対象書類名】明細書
【補正対象項目名】０１２３
【補正方法】変更
【補正の内容】
【０１２３】
明らかに、当業者ならば、本発明の複数の実施形態の主旨及び範囲から逸脱することなく、本発明の複数の実施形態に対して様々な変形及び変更を施し得る。このように、本発明は、これらの変形及び変更が、以下の特許請求の範囲及びその等価な複数の技術によって定義される保護範囲に含まれる限り、それらを網羅することが意図される。
［項目１］
可視光源に基づく位置決定方法であって、上記方法は可視光源位置決定システムにおいて適用され、上記システムは可視光源配列及び可視光源コントローラを備え、上記可視光源配列は少なくとも１つの可視光源を含み、上記方法は、
上記可視光源配列が配置される位置の地理的位置属性情報を上記可視光源コントローラが取得する段階と、
可視光源配列が配置される位置の地理的位置属性情報と可視光源配列パターンとの間の予め設定された対応関係に従って、上記取得された地理的位置属性情報に対応する可視光源配列パターンであって、上記可視光源配列に含まれる各可視光源に対応する発光状態を識別すべく個別に使用される識別情報によって形成される符号化情報を指す可視光源配列パターンを上記可視光源コントローラが決定する段階と、
上記決定された可視光源配列パターンに従って、上記可視光源配列に含まれる各可視光源の上記発光状態を上記可視光源コントローラが制御する段階と、を備える
方法。
［項目２］
上記地理的位置属性情報は、物理的位置情報及び地理的方向情報を有する
項目１に記載の方法。
［項目３］
可視光源配列が配置される位置の地理的位置属性情報と可視光源配列パターンとの間の予め設定された対応関係に従って、上記取得された地理的位置属性情報に対応する可視光源配列パターンを上記可視光源コントローラが決定する上記段階の前に、さらに、
可視光源配列が配置される位置の地理的位置属性情報と可視光源配列パターンとの間の上記予め設定された対応関係を、ネットワークを介して上記可視光源コントローラが取得する段階を備え、
上記対応関係は地図サーバに格納される、
項目１または２に記載の方法。
［項目４］
上記可視光源配列に含まれる各可視光源の上記発光状態を上記可視光源コントローラが制御する段階は、具体的に、
上記可視光源配列における少なくとも１つの隣接する可視光源の発光状態を互いに異なるように、上記可視光源コントローラが制御する段階か、又は
上記可視光源配列における少なくとも１つの隣接する可視光源の発光状態を同じになるように、上記可視光源コントローラが制御する段階を備える
項目１から３の何れか一項に記載の方法。
［項目５］
上記方法は、
上記可視光源配列に少なくとも１つの可視光源が追加されると決定するとき、上記地図サーバが、可視光源配列パターンと地理的位置属性情報との間の既存の上記対応関係を更新するよう、上記可視光源の上記可視光源配列パターンを、上記可視光源コントローラが更新する段階と、更新された可視光源配列パターンと、上記可視光源配列パターンに対応する地理的位置属性情報との間の対応関係を、上記ネットワークを介して上記地図サーバに送信する段階と、をさらに備える
項目１から４の何れか一項に記載の方法。
［項目６］
可視光源に基づく位置決定方法であって、上記方法は可視光源位置決定システムにおいて適用され、上記システムは可視光源配列及び可視光源コントローラを備え、上記可視光源配列は複数の可視光源を含み、上記方法は、
上記可視光源配列に含まれる各可視光源に対応する発光状態を識別すべく個別に使用される識別情報によって形成される符号化情報を指す可視光源配列パターンを、上記可視光源コントローラが受信する段階と、
上記受信された可視光源配列パターンに従って、上記可視光源配列に含まれる各可視光源の上記発光状態を上記可視光源コントローラが制御する段階と、を備える
方法。
［項目７］
可視光源に基づく位置決定方法であって、
モバイル端末が現在位置する位置において、可視光源配列に含まれる各可視光源によって示される発光状態を、上記モバイル端末が取り込む段階と、
各可視光源によって示される上記取り込まれた発光状態に従って、上記可視光源配列に対応する可視光源配列パターンであって、上記可視光源配列に含まれる各可視光源に対応する上記発光状態を識別すべく個別に使用される識別情報によって形成される符号化情報を指す可視光源配列パターンを、上記モバイル端末が決定する段階と、
可視光源配列が配置される位置の地理的位置属性情報と可視光源配列パターンとの間の予め設定された対応関係における、上記可視光源配列パターンに対応する地理的位置属性情報を、上記モバイル端末が獲得する段階と、
上記可視光源配列パターンに対応する上記地理的位置属性情報を上記モバイル端末の現在の地理的位置属性情報として上記モバイル端末が使用する段階と、を備える
方法。
［項目８］
上記地理的位置属性情報は、物理的位置情報及び地理的方向情報を有する
項目７に記載の方法。
［項目９］
可視光源配列が配置される位置の地理的位置属性情報と可視光源配列パターンとの間の予め設定された対応関係における、上記可視光源配列パターンに対応する地理的位置属性情報を、上記モバイル端末が獲得する上記段階は、具体的に、
可視光源配列が配置される位置の地理的位置属性情報と可視光源配列パターンとの間の局所的に格納された対応関係に従って、上記決定された可視光源配列パターンに対応している位置であり、且つ、上記可視光源配列が配置される位置の地理的位置属性情報を上記モバイル端末が獲得する段階と、
上記可視光源配列が配置される位置の上記決定された地理的位置属性情報を上記モバイル端末の上記現在の地理的位置属性情報として上記モバイル端末が使用する段階と、を備える
項目７または８に記載の方法。
［項目１０］
可視光源配列が配置される位置の地理的位置属性情報と可視光源配列パターンとの間の予め設定された対応関係における、上記可視光源配列パターンに対応する地理的位置属性情報を、上記モバイル端末が獲得する上記段階は、具体的に、
上記決定された可視光源配列パターンを上記モバイル端末が地図サーバに送信する段階と、上記決定された可視光源配列パターンに対応している位置であり、且つ、上記可視光源配列が配置される位置の地理的位置属性情報であって、上記格納された対応関係に従って上記地図サーバによって決定され、フィードバックされる地理的位置属性情報を受信する段階と、
上記可視光源配列が配置される上記位置の上記受信された地理的位置属性情報を上記モバイル端末の上記現在の地理的位置属性情報として上記モバイル端末が使用する段階と、を備える
項目７または８に記載の方法。
［項目１１］
上記可視光源配列が配置される上記位置の上記地理的位置属性情報を上記モバイル端末の上記現在の地理的位置属性情報として上記モバイル端末が使用する上記段階は、具体的に、
上記可視光源配列が配置される上記位置の物理的位置情報を上記モバイル端末の現在の物理的位置情報として上記モバイル端末が使用する段階と、
上記可視光源配列が配置される上記位置の地理的方向情報に対応する方向指示線と、上記モバイル端末が、上記可視光源配列に含まれる各可視光源によって示される上記発光状態を取り込むときに特定される軸との間の挟角に従って、上記モバイル端末の現在の地理的移動方向情報を上記モバイル端末が決定する段階と、を備える
項目９または１０に記載の方法。
［項目１２］
可視光源配列が配置される位置の地理的位置属性情報を取得するよう構成される第１の取得ユニットと、
可視光源配列が配置される位置の地理的位置属性情報と可視光源配列パターンとの間の予め設定された対応関係に従って、上記取得された地理的位置属性情報に対応する可視光源配列パターンであって、上記可視光源配列に含まれる各可視光源に対応する発光状態を識別すべく個別に使用される識別情報によって形成される符号化情報を指す可視光源配列パターンを決定するよう構成される決定ユニットと、
上記決定された可視光源配列パターンに従って、上記可視光源配列に含まれる各可視光源の上記発光状態を制御するよう構成される制御ユニットと、を備える
可視光源コントローラ。
［項目１３］
上記第１の取得ユニットによって取得される上記地理的位置属性情報は、物理的位置情報及び地理的方向情報を備える
項目１２に記載の可視光源コントローラ。
［項目１４］
可視光源配列が配置される位置の地理的位置属性情報と可視光源配列パターンとの間の上記予め設定された対応関係を、ネットワークを介して取得するよう構成される第２の取得ユニットをさらに備え、上記対応関係は、地図サーバに格納される、
項目１２または１３に記載の可視光源コントローラ。
［項目１５］
上記制御ユニットは、具体的に、
上記可視光源配列における少なくとも１つの隣接する可視光源の発光状態を互いに異なるように制御するか、又は、
上記可視光源配列における少なくとも１つの隣接する可視光源の発光状態を同じになるように制御するよう構成される
項目１２から１４の何れか一項に記載の可視光源コントローラ。
［項目１６］
送信ユニットをさらに備え、上記送信ユニットは、
上記可視光源配列に少なくとも１つの可視光源が追加されると決定するとき、上記地図サーバが可視光源配列パターンと地理的位置属性情報との間の既存の上記対応関係を更新するように、上記可視光源の上記可視光源配列パターンを更新し、更新された可視光源配列パターンと、上記可視光源配列パターンに対応する地理的位置属性情報との間の対応関係を、上記ネットワークを介して上記地図サーバに送信するよう構成される
項目１２から１５の何れか一項に記載の可視光源コントローラ。
［項目１７］
上記可視光源配列に含まれる各可視光源に対応する発光状態を識別すべく個別に使用される識別情報によって形成される符号化情報を指す可視光源配列パターンを受信するよう構成される受信ユニットと、
上記受信された可視光源配列パターンに従って、上記可視光源配列に含まれる各可視光源の上記発光状態を制御するよう構成される制御ユニットと、を備える
可視光源コントローラ。
［項目１８］
モバイル端末であって、
上記モバイル端末が現在位置する位置において、可視光源配列に含まれる各可視光源によって示される発光状態を取り込むよう構成される取込ユニットと、
各可視光源によって示される上記取り込まれた発光状態に従って、上記可視光源配列に対応する可視光源配列パターンであって、上記可視光源配列に含まれる各可視光源に対応する上記発光状態を識別すべく個別に使用される識別情報によって形成される符号化情報を指す可視光源配列パターンを決定するよう構成される第３の決定ユニットと、
可視光源配列が配置される位置の地理的位置属性情報と可視光源配列パターンとの間の予め設定された対応関係における、上記可視光源配列パターンに対応する地理的位置属性情報を獲得するよう構成される獲得ユニットと、
上記可視光源配列パターンに対応する上記地理的位置属性情報を上記モバイル端末の現在の地理的位置属性情報として使用するよう構成される第４の決定ユニットと、を備える
モバイル端末。
［項目１９］
上記獲得ユニットによって獲得される上記地理的位置属性情報は、物理的位置情報及び地理的方向情報を備える
項目１８に記載のモバイル端末。
［項目２０］
上記第４の決定ユニットは、具体的に、
可視光源配列が配置される位置の地理的位置属性情報と可視光源配列パターンとの間の局所的に格納された対応関係に従って、上記決定された可視光源配列パターンに対応している位置であり、且つ、上記可視光源配列が配置される位置の地理的位置属性情報を獲得し、
上記可視光源配列が配置される上記位置の上記決定された地理的位置属性情報を、上記モバイル端末の上記現在の地理的位置属性情報として使用するよう構成される、
項目１８または１９に記載のモバイル端末。
［項目２１］
上記第４の決定ユニットは、具体的に、
上記第３の決定ユニットによって決定される上記可視光源配列パターンを地図サーバに送信し、上記決定された可視光源配列パターンに対応している位置であり、且つ、上記可視光源配列が配置される位置の地理的位置属性情報であって、上記格納された対応関係に従って上記地図サーバによって決定され、フィードバックされる上記地理的位置属性情報を受信し、
上記可視光源配列が配置される上記位置の上記受信された地理的位置属性情報を、上記モバイル端末の上記現在の地理的位置属性情報として使用するよう構成される、
項目１８または１９に記載のモバイル端末。
［項目２２］
上記第４の決定ユニットは、具体的に、
上記可視光源配列が配置される上記位置の物理的位置情報を、上記モバイル端末の現在の物理的位置情報として使用し、
上記可視光源配列が配置される上記位置の地理的方向情報に対応する方向指示線と、上記モバイル端末が、上記可視光源配列に含まれる各可視光源によって示される上記発光状態を取り込むときに特定される軸との間の挟角に従って、上記モバイル端末の現在の地理的移動方向情報を決定するよう構成される、
項目２０または２１に記載のモバイル端末。
【国際調査報告】
2016538794.tif 000018
2016538794.tif 000019
2016538794.tif 000020
2016538794.tif 000021